(57)【要約】【課題】設置コストを抑制しつつ、スタッフがどの患者に対する看護業務を行っているかを特定することができるようにする。【解決手段】スタッフによる操作に応じて、部屋内の複数の場所ごとにオン／オフを切り替えられるように構成されたリードスイッチ１Ａ〜１Ｆと、リードスイッチ１Ａ〜１Ｆに接続された受信機２と、スタッフが携帯する無線ＩＣタグ３とを備え、受信機２において、リードスイッチ１Ａ〜１Ｆがオンに切り替えられた場所を検出するとともに、その検出後に無線ＩＣタグ３から受信される電波の電界強度を監視し、当該電界強度が閾値以上である期間を、検出された場所にスタッフが滞在している期間として検出するようにすることにより、スタッフが部屋内どの場所にいて患者に対する看護業務を行っているかを特定するために、屋内測位センサ等の送信機を患者の数と同数設ける必要をなくす。【選択図】図１
2020016962.tif 000002
【特許請求の範囲】
【請求項１】
部屋内で業務を行うスタッフによる操作に応じて、上記部屋内の複数の場所ごとにオン／オフを切り替えられるように構成された操作部と、
上記部屋内に設置され、上記操作部に接続された受信機と、
上記スタッフが携帯する携帯型送信機とを備え、
上記受信機は、
上記複数の場所のうち上記操作部によってオンに切り替えられた場所を検出する場所検出部と、
上記操作部により上記複数の場所の何れかがオンに切り替えられたことが上記場所検出部により検出された後に上記携帯型送信機から受信される電波の電界強度を監視し、当該電界強度が閾値以上である期間を、上記場所検出部により検出された場所に上記スタッフが滞在している期間として検出する滞在検出部とを備えたことを特徴とする看護業務管理システム。
【請求項２】
上記操作部は、上記部屋内の複数の場所に設置された複数のオン／オフスイッチであり、
上記受信機は、上記複数のオン／オフスイッチが個別に接続される複数のポートを備え、
上記場所検出部は、上記複数のポートのうちどのポートがアクティブになったかによって、上記オン／オフスイッチがオンに切り替えられた場所を検出することを特徴とする請求項１に記載の看護業務管理システム。
【請求項３】
上記オン／オフスイッチは、上記スタッフにより操作が行われている間オンとなり、操作が行われなくなると自動的にオフとなるスイッチであることを特徴とする請求項２に記載の看護業務管理システム。
【発明の詳細な説明】
【技術分野】
【０００１】
本発明は看護業務管理システムに関し、特に、施設内におけるスタッフの居場所を特定するシステムに用いて好適なものである。
【背景技術】
【０００２】
従来、施設内における人の移動軌跡である動線を検出して表示できるようにしたシステムが知られている（例えば、特許文献１参照）。特許文献１に記載の動線・滞留分析システムは、介護施設内の複数の部屋および部屋間を移動する際に通過する廊下の通過ポイント毎に設置した屋内測位センサと、看護師や介護士等の介護スタッフが携帯する携帯情報端末とを備えて構成され、屋内測位センサが発信した電波および固有の識別情報を携帯情報端末にて受信し、受信した電波の強度および識別情報に関する情報を分析装置に送信することにより、介護スタッフの滞留エリアおよび動線を判定して出力するように成されている。
【０００３】
病院や介護施設で働くスタッフの動線を特定することにより、看護業務（介護業務を含む）の遂行においてスタッフが施設内でどのような動きをするのかを正確に把握することができる。そして、スタッフの無駄な動きを見出すことにより、業務効率の改善を図ることが可能となる。ここで、各部屋に複数の患者または被介護者（以下、単に「患者」という）が入室している場合には、スタッフがどの場所の患者に対して看護業務を行っているかを特定する必要がある。しかしながら、上記特許文献１に記載のシステムでは、スタッフがどの部屋に居るのかを特定することはできるものの、どの患者のベッドサイド近傍に居るのかを特定することができないという問題があった。
【０００４】
この問題を解決するために、特許文献１に記載の屋内測位センサを各ベッドサイドに取り付けて、それぞれの屋内測位センサから発信されて携帯情報端末にて受信される電波の電界強度を測定することにより、スタッフがどのベッドの患者に対する看護業務を行っているかを特定することが可能となる。しかしながら、この場合は、屋内測位センサの数がベッドと同数必要となるため、設置コストが増大してしまうという問題があった。
【先行技術文献】
【特許文献】
【０００５】
【特許文献１】特開２０１４−２１５６８４号公報
【発明の概要】
【発明が解決しようとする課題】
【０００６】
本発明は、このような問題を解決するために成されたものであり、設置コストを抑制しつつ、スタッフがどの場所の患者に対する看護業務を行っているかを特定することができるようにすることを目的とする。
【課題を解決するための手段】
【０００７】
上記した課題を解決するために、本発明の看護業務管理システムは、部屋内で業務を行うスタッフによる操作に応じて、部屋内の複数の場所ごとにオン／オフを切り替えられるように構成された操作部と、部屋内に設置され、操作部に接続された受信機と、スタッフが携帯する携帯型送信機とを備える。そして、受信機において、操作部によってオンに切り替えられた場所を検出するとともに、その検出後に携帯型送信機から受信される電波の電界強度を監視し、当該電界強度が閾値以上である期間を、検出された場所にスタッフが滞在している期間として検出するようにしている。
【発明の効果】
【０００８】
上記のように構成した本発明によれば、部屋内でスタッフがいる場所は、操作部によってオンに切り替えられた場所として受信機において識別することができる。また、その識別した場所にスタッフが滞在している期間は、スタッフが携帯している携帯型送信機から受信される電波の電界強度の監視によって受信機において把握することができる。このため、スタッフが部屋内のどの場所にいて患者に対する看護業務を行っているかを特定するために、屋内測位センサ等の送信機を患者の数と同数設ける必要がない。これにより、本発明によれば、設置コストを抑制しつつ、スタッフがどの場所にいて患者に対する看護業務を行っているかを特定することができるようになる。
【図面の簡単な説明】
【０００９】
【図１】本実施形態による看護業務管理システムの全体構成例を示す図である。
【図２】本実施形態による受信機の機能構成例および示すブロック図である。
【図３】本実施形態による看護業務管理システムの動作例を示すフローチャートである。
【発明を実施するための形態】
【００１０】
以下、本発明の一実施形態を図面に基づいて説明する。図１は、本実施形態による看護業務管理システムの全体構成例を示す図である。このうち、図１（ａ）はシステム構成を示すブロック図であり、図１（ｂ）は部屋内における操作部および受信機の配置を示すレイアウト図である。本実施形態では、部屋の一例として、病院の病室を例に挙げて説明する。
【００１１】
図１（ａ）に示すように、本実施形態の看護業務管理システムは、複数のリードスイッチ（図では「ＲＳ」と記している）１Ａ〜１Ｆと、受信機２と、無線ＩＣタグ（図では「タグ装置」と記している）３と、マグネット４と、サーバ装置５とを備えて構成されている。サーバ装置５は、アクセスポイント（図では、「ＡＰ」と記している）６および院内ネットワーク７を介して受信機２と接続されている。複数のリードスイッチ１Ａ〜１Ｆと受信機２との間、および、受信機２とアクセスポイント６との間は、例えば有線のＬＡＮケーブル等で接続されている。
【００１２】
リードスイッチ１Ａ〜１Ｆは、部屋（病室）内で業務を行うスタッフ（看護師や医師）による操作に応じて、病室内の複数の場所ごとにオン／オフを切り替えられるように構成された操作部である。図１（ｂ）に示すように、リードスイッチ１Ａ〜１Ｆは、病室内の複数の場所に設置されている。すなわち、病室内には、複数の入院患者が使用する複数のベッドＢＤ１〜ＢＤ６が配置されており、それらベッドＢＤ１〜ＢＤ６の各々の近傍にリードスイッチ１Ａ〜１Ｆが設置されている。
【００１３】
リードスイッチ１Ａ〜１Ｆは、スタッフが所持するマグネット４を近づけるとオンとなり、マグネット４を遠ざけるとオフとなるオン／オフスイッチである。すなわち、リードスイッチ１Ａ〜１Ｆは、スタッフによりマグネット４を近づけるという操作が行われている間オンとなり、その操作が行われなくなると自動的にオフとなる。
【００１４】
受信機２は、病室内に設置され、リードスイッチ１Ａ〜１Ｆの各々に接続されている。例えば、図１（ｂ）に示すように、受信機２は、病室の天井のほぼ中央の位置に設置される。これは、病室内の各ベッドＢＤ１〜ＢＤ６の近傍に設置された各リードスイッチ１Ａ〜１Ｆと受信機２との距離が比較的均等となるようにするためである。
【００１５】
図１（ａ）に示すように、受信機２は、複数のリードスイッチ１Ａ〜１Ｆが個別に接続される複数のポートを備え、それぞれのポートに対してリードスイッチ１Ａ〜１Ｆが接続されている。リードスイッチ１Ａ〜１Ｆは、スタッフがマグネット４を近づけることによってオンになると、オンになったことを示す信号（以下、アクティブ信号という）を受信機２に送信する。受信機２は、オンになった何れかのリードスイッチ（以下、何れか１つのリードスイッチを意味するときは「リードスイッチ１」と記載する）が接続されたポートからアクティブ信号を受信する。
【００１６】
無線ＩＣタグ３は、スタッフが携帯する携帯型送信機であり、所定の周期に従って定期的に電波を送信する。無線ＩＣタグ３の通信距離（送信した電波が届く距離）は数メートルである。この数メートルというのは、無線ＩＣタグ３を携帯しているスタッフが病室内にいるときに、無線ＩＣタグ３から送信された電波が受信機２に十分に届く距離であり、かつ、スタッフが病室外にいるときに、無線ＩＣタグ３から送信された電波が受信機２に届かないか、届いても受信電界強度が所定値未満となるような距離である。
【００１７】
なお、無線ＩＣタグ３は、書き換え可能なメモリを内蔵しており、スタッフを識別するためのＩＤ（以下、スタッフＩＤという）がこのメモリに記憶されている。無線ＩＣタグ３は、スタッフＩＤを電波に乗せて送信する。
【００１８】
図２は、受信機２の機能構成例および示すブロック図である。図２に示すように、本実施形態の受信機２は、その機能構成として、場所検出部２１、受信部２２、滞在検出部２３およびネットワーク送信部２４を備えている。また、受信機２は、記憶媒体としてベッドＩＤ記憶部２５を備えている。
【００１９】
これらの各機能ブロック２１〜２４は、ハードウェア、ＤＳＰ（Digital Signal Processor）、ソフトウェアの何れによっても構成することが可能である。例えばソフトウェアによって構成する場合、上記各機能ブロック２１〜２４は、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記録媒体に記憶されていてもよい。
【００２０】
場所検出部２１は、病室内の複数の場所（ベッドＢＤ１〜ＢＤ６がある場所）のうち、リードスイッチ１Ａ〜１Ｆがオンに切り替えられた場所を検出する。具体的には、場所検出部２１は、複数のポートのうちどのポートがアクティブになったか、つまりどのポートにてアクティブ信号を受信したかによって、リードスイッチ１Ａ〜１Ｆがオンに切り替えられた場所を検出する。
【００２１】
スタッフは、患者に対して看護業務を実施する際に、それに先立って、対象患者のベッド近傍に設置されたリードスイッチ１に自身が所持するマグネット４を近づける。その後、看護業務を実施する際には、スタッフがリードスイッチ１から遠ざかるので、マグネット４もリードスイッチ１から離間する。このようなリードスイッチ１に対する操作に応じて、そのリードスイッチ１から受信機２にアクティブ信号が送信される。場所検出部２１は、アクティブ信号を受信したポートに接続されているリードスイッチ１の設置場所を、リードスイッチ１がオンに切り替えられた場所として検出する。
【００２２】
なお、スタッフが複数の患者に対する看護業務を順番に実施する場合には、患者に対する看護業務を実施するごとに、それに先立って、対象患者のベッド近傍に設置されたリードスイッチ１に自身が所持するマグネット４を近づける。すなわち、スタッフは、１人目の患者のベッド近傍に設置されたリードスイッチ１にマグネット４を近づけた後、その患者に対する看護業務を実施する。その後、２人目の患者のベッド近傍に設置されたリードスイッチ１にマグネット４を近づけた後、その患者に対する看護業務を実施する。３人目以降も同様である。
【００２３】
上述したように、リードスイッチ１Ａ〜１Ｆは、スタッフがマグネット４を近づけているときにのみオンとなり、マグネット４が遠ざかると自動的にオフとなる。患者に対する看護業務を行う際に、マグネット４はリードスイッチ１Ａ〜１Ｆから自然と遠ざかるので、スタッフはリードスイッチ１Ａ〜１Ｆを手動でオフに切り替えるという意識を持つ必要がない。したがって、複数の患者に対する看護業務を順番に実施する場合において、スタッフは、看護業務を実施する患者のベッドごとに、リードスイッチ１Ａ〜１Ｆにマグネット４を近づける操作を行えばよい。ｉ番目のリードスイッチ１をオンにする前に、別の操作でｉ−１番目のリードスイッチ１をオフに切り替える必要がないので、操作が簡便である。
【００２４】
以上のように、スタッフが複数の患者に対する看護業務を順番に実施する場合には、受信機２は、複数のリードスイッチ１Ａ〜１Ｆから順番にアクティブ信号を受信することになる。場所検出部２１は、アクティブ信号を受信する毎に、リードスイッチ１Ａ〜１Ｆがオンに切り替えられた場所を検出する。
【００２５】
受信部２２は、無線ＩＣタグ３から送信された電波（スタッフＩＤを情報として含む）を受信する。滞在検出部２３は、複数の場所の何れかにおいてリードスイッチ１がオンに切り替えられたことが場所検出部２１により検出された後に、無線ＩＣタグ３から送信されて受信部２２にて受信される電波の電界強度を監視する。そして、当該電界強度が閾値以上である期間を、場所検出部２１により検出された場所にスタッフが滞在している期間として検出する。
【００２６】
上述したように、無線ＩＣタグ３の通信距離は、無線ＩＣタグ３を携帯しているスタッフが病室内にいるときに、無線ＩＣタグ３から送信された電波が受信機２に十分に届く距離に設定されている。これは、受信電界強度が閾値以上となる距離である。これにより、滞在検出部２３が監視している電界強度が閾値以上であるということは、病室内のどこかにスタッフを存在することを意味する。そして、病室内のどこにスタッフが存在するかは、場所検出部２１により検出されている。よって、滞在検出部２３は、受信部２２により受信されている電波の電界強度が閾値以上である期間を、場所検出部２１により検出された場所にスタッフが滞在している期間として検出することが可能である。
【００２７】
ここで、複数の患者に対する看護業務が順番に実施される場合には、場所検出部２１により検出される場所が順次変わっていく。この場合、スタッフは病室内に滞在し続けるため、受信部２２により受信されている電波の電界強度が閾値以上である期間が継続している。この間に、場所検出部２１により検出される場所が順次変わっていく。滞在検出部２３は、場所検出部２１により検出される場所が変わる毎に、それから後の期間を変更後の場所にスタッフが滞在している期間として検出する。
【００２８】
すなわち、滞在検出部２３は、ある１つのリードスイッチ１（例えば、リードスイッチ１Ａ）がオンに切り替えられたことが場所検出部２１により検出された後、無線ＩＣタグ３から受信される電波の電界強度が閾値以上である期間を、リードスイッチ１Ａがある場所、つまりベッドＢＤ１の近傍にスタッフが滞在している期間として検出する。その後、次のリードスイッチ１（例えば、リードスイッチ１Ｃ）がオンに切り替えられたことが場所検出部２１により検出された場合、滞在検出部２３は、その検出後に無線ＩＣタグ３から受信される電波の電界強度が閾値以上である期間を、リードスイッチ１Ｃがある場所、つまりベッドＢＤ３の近傍にスタッフが滞在している期間として検出する。
【００２９】
その後、滞在検出部２３は、無線ＩＣタグ３から受信される電波の電界強度が閾値未満になったことを検出した場合、その直前に場所検出部２１により検出された場所におけるスタッフの滞在期間の測定を中止する。上述したように、電界強度が閾値未満になった場合は、スタッフが病室の外にいる場合に相当するからである。例えば、上述の例で、リードスイッチ１Ｃがオンに切り替えられたことが場所検出部２１により検出された後、しばらくしてから、無線ＩＣタグ３から受信される電波の電界強度が閾値未満になったことが検出された場合、電界強度が閾値未満になった時点で、リードスイッチ１Ｃがある場所（ベッドＢＤ３の近傍）にスタッフが滞在している期間の測定を中止する。
【００３０】
ネットワーク送信部２４は、場所検出部２１および滞在検出部２３による検出結果を、アクセスポイント６および院内ネットワーク７を介してサーバ装置５に送信する。このときネットワーク送信部２４は、場所検出部２１によりスタッフが滞在している場所として検出された場所に対応するベッドＩＤをベッドＩＤ記憶部２５から読み出して、受信部２２が受信したスタッフＩＤと共にサーバ装置５に送信する。サーバ装置５は、ネットワーク送信部２４により送信された情報、すなわち、スタッフＩＤ、ベッドＩＤ、スタッフの滞在期間を看護履歴情報として記憶する。なお、ベッドＩＤ記憶部２５は、例えばポート番号とベッドＩＤとの対応関係を示した情報を記憶しており、場所検出部２１により検出された場所に対応するポート番号から対応するベッドＩＤを読み出すことができるようになっている。
【００３１】
上述した例の場合、ネットワーク送信部２４は、リードスイッチ１Ａがある場所（ベッドＢＤ１の近傍）にスタッフが滞在している期間を示す情報として、スタッフＩＤ、場所検出部２１により検出された場所に対応するベッドＢＤ１のベッドＩＤ、および滞在検出部２３により検出されたスタッフの滞在期間をサーバ装置５に送信する。また、ネットワーク送信部２４は、リードスイッチ１Ｃがある場所（ベッドＢＤ３の近傍）にスタッフが滞在している期間を示す情報として、スタッフＩＤ、場所検出部２１により検出された場所に対応するベッドＢＤ３のベッドＩＤ、および滞在検出部２３により検出されたスタッフの滞在期間をサーバ装置５に送信する。
【００３２】
図３は、上記のように構成した本実施形態による看護業務管理システムの動作例を示すフローチャートである。図３に示すフローチャートは、スタッフが病室に入室してから退室するまでに実行される処理例を示したものである。
【００３３】
まず、場所検出部２１は、受信機２の何れかのポートにおいてアクティブ信号を受信したか否かを判定する（ステップＳ１）。アクティブ信号を受信していない場合は（ステップＳ１にてＮｏ）、ステップＳ１の判定を繰り返す。一方、場所検出部２１がアクティブ信号を受信した場合（ステップＳ１にてＹｅｓ）、場所検出部２１は、受信機２が有する複数のポートのうちどのポートにてアクティブ信号を受信したかによって、リードスイッチ１がオンに切り替えられた場所（つまり、スタッフがいるベッド近傍の場所）を検出する（ステップＳ２）。
【００３４】
場所検出部２１により場所が検出された場合、滞在検出部２３は、その場所にスタッフが滞在している期間の測定を開始する（ステップＳ３）。次いで、滞在検出部２３は、無線ＩＣタグ３から送信されて受信部２２にて受信される電波の電界強度が閾値以上であるか否かを判定する（ステップＳ４）。電界強度が閾値以上である場合（ステップＳ４にてＹｅｓ）、場所検出部２１は、受信機２の何れかのポートにおいてアクティブ信号を受信したか否かを再び判定する（ステップＳ５）。ここで、アクティブ信号を受信していない場合（ステップＳ５にてＮｏ）、処理はステップＳ３に戻り、現在検出されている場所にスタッフが滞在している期間の測定を継続する。
【００３５】
一方、場所検出部２１がアクティブ信号を再び受信した場合（ステップＳ５にてＹｅｓ）、スタッフが別のリードスイッチ１をオンにしたということである。この場合、場所検出部２１は、どのポートにてアクティブ信号を受信したかによって、リードスイッチ１がオンに切り替えられた場所を再度検出する（ステップＳ６）。また、滞在検出部２３は、ステップＳ３〜Ｓ５のループ処理が行われている間ステップＳ３により測定された時間を、ステップＳ２で場所検出部２１により検出された場所にスタッフが滞在している期間として検出する（ステップＳ７）。そして、ネットワーク送信部２４がこのスタッフによる滞在場所と滞在期間の情報をサーバ装置５に送信する（ステップＳ８）。
【００３６】
その後、処理はステップＳ３に戻り、ステップＳ６で滞在検出部２３により検出された場所にスタッフが滞在している期間の測定を開始する。以降同様にして、ステップＳ３〜Ｓ５のループ処理が実行される。そして、滞在検出部２３は、ステップＳ３〜Ｓ５のループ処理が行われている間ステップＳ３により測定された時間を、ステップＳ６で場所検出部２１により検出された場所にスタッフが滞在している期間として検出する（ステップＳ７）。また、ネットワーク送信部２４がこのスタッフによる滞在場所と滞在期間の情報をサーバ装置５に送信する（ステップＳ８）。
【００３７】
以上のステップＳ３〜Ｓ５のループ処理が行われているとき、ステップＳ４において、電界強度が閾値以上ではないと滞在検出部２３により判定された場合（ステップＳ４にてＮｏ）、スタッフが病室の外に出たということである。この場合、滞在検出部２３は、その時点で滞在時間の測定を中止し（ステップＳ９）、それまでの間にステップＳ３で滞在検出部２３により測定された時間を、ステップＳ２またはＳ６で場所検出部２１により検出された場所にスタッフが滞在している期間として検出する（ステップＳ１０）。そして、ネットワーク送信部２４がこのスタッフによる滞在場所と滞在期間の情報をサーバ装置５に送信する（ステップＳ１１）。これにより、図３に示すフローチャートの処理は終了する。
【００３８】
以上、詳しく説明したように、本実施形態では、病室内で業務を行うスタッフによる操作に応じて、病室内の複数の場所（ベッドＢＤ１〜ＢＤ６）ごとにオン／オフを切り替えられるように構成されたリードスイッチ１Ａ〜１Ｆを各ベッドＢＤ１〜ＢＤ６の近傍に設置するとともに、各リードスイッチ１Ａ〜１Ｆに接続された受信機２を病室内の１ヵ所に設置する。また、電波を送信する無線ＩＣタグ３をスタッフに携帯させる。そして、受信機２において、リードスイッチ１Ａ〜１Ｆがオンに切り替えられた場所を検出するとともに、その検出後に無線ＩＣタグ３から受信される電波の電界強度を監視し、当該電界強度が閾値以上である期間を、検出された場所にスタッフが滞在している期間として検出するようにしている。
【００３９】
このように構成した本実施形態によれば、病室内でスタッフがいる場所は、リードスイッチ１Ａ〜１Ｆがオンに切り替えられた場所として受信機２において識別することができる。また、その識別した場所にスタッフが滞在している期間は、スタッフが携帯している無線ＩＣタグ３から受信される電波の電界強度の監視によって受信機２において把握することができる。このため、スタッフが病室内どの場所にいて患者に対する看護業務を行っているかを特定するために、屋内測位センサ等の送信機をベッドの数と同数設ける必要がない。これにより、本実施形態によれば、設置コストを抑制しつつ、スタッフがどのベッド近傍にいて患者に対する看護業務を行っているかを特定することができるようになる。
【００４０】
また、本実施形態では、操作部として、スタッフにより操作が行われている間オンとなり、操作が行われなくなると自動的にオフとなるオン／オフスイッチを用いている。これに対し、例えば、一方に倒すとオンとなり、他方に倒すとオフとなるような切替スイッチを用い、スタッフがスイッチをオンにしてからオフに戻すまでの期間を滞在期間として検出することも考えられる。ただし、この場合は、あるベッド近傍のスイッチをオンにして、そのベッドの患者に対する看護業務が終わった後、当該スイッチをオフに戻す操作を行う必要があるため、スタッフが行うべき操作の回数が増える点で好ましくない。一方、本実施形態によれば、スタッフはリードスイッチ１Ａ〜１Ｆをオンにする操作を行うのみでよく、スタッフの滞在期間は受信電界強度の監視を通じて測定されるので、スタッフによる一連の看護業務の作業効率の向上を図ることができる。
【００４１】
なお、上記実施形態では、操作部の一例としてリードスイッチ１Ａ〜１Ｆを用いる例について説明したが、本発明はこれに限定されない。すなわち、操作部は、部屋内の複数の場所に設置されて個別にオン／オフを切り替えられるものであればよい。例えば、手で押下するとオンとなり、手を離すとオフとなるようなボタンスイッチであってもよい。あるいは、ＲＦＩＤ（radio frequency identifier）のような近距離無線通信用のＲＦタグをスタッフが携帯し、タグリーダ装置を各ベッドの近傍に設置することにより、ＲＦタグをタグリーダ装置に近づけたときにのみオンとなるような構成としてもよい。ただし、設置コストを考えた場合、リードスイッチ１Ａ〜１Ｆやボタンスイッチの方がＲＦＩＤよりも好ましい。
【００４２】
また、上記実施形態では、操作部は、部屋内の複数の場所ごとに設置するオン／オフスイッチであるものとして説明したが、本発明はこれに限定されない。例えば、ベッド番号を選択するための操作部を部屋の出入口付近に設け、看護業務を行う対象の患者を変える毎に、この操作部によってベッド番号を選択する操作を行うようにしてもよい。この場合は、何れかのベッド番号を選択する操作を行うと、そのベッド番号に応じた場所（ベッド）がオンに切り替えられ、そのことを示す信号が受信機２に送信される。この場合の操作部は、ベッド数と同数の押下ボタンを備えたものであってもよいし、ベッド数と同数の設定位置を備えたスライドスイッチであってもよいし、液晶表示装置を備えたタッチパネルであってもよい。
【００４３】
また、上記実施形態では、受信機２を部屋内のほぼ中央の位置に設置する例について説明したが、設置場所はこれに限定されない。
【００４４】
また、上記実施形態では、スタッフが携帯する携帯型送信機の一例として無線ＩＣタグ３を挙げて説明したが、これに限定されない。例えば、スタッフが携帯するスマートフォンや業務専用端末などの携帯端末であってもよい。携帯型送信機は、スタッフＩＤを電波として送信できるものであればよい。
【００４５】
また、上記実施形態では、受信機２が有する複数のポートと各リードスイッチ１Ａ〜１Ｆとの間が有線で接続され、どのポートがアクティブになったかによって、リードスイッチ１Ａ〜１Ｆがオンに切り替えられた場所を検出する例について説明したが、本発明はこれに限定されない。例えば、リードスイッチ１Ａ〜１Ｆまたは別のタイプのスイッチが自身を識別するスイッチＩＤを送信する機能を備えるようにし、そのスイッチＩＤに基づいて、スイッチがオンに切り替えられた場所を受信機２にて検出するようにしてもよい。この場合、受信機２とスイッチとの間は無線で接続するようにしてもよい。
【００４６】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４７】
１Ａ〜１Ｆ  リードスイッチ（操作部、オン／オフスイッチ）
２  受信機
３  無線ＩＣタグ（携帯型送信機）
４  マグネット
２１  場所検出部
２２  受信部
２３  滞在検出部
【図１】
2020016962.tif 000003
【図２】
2020016962.tif 000004
【図３】
2020016962.tif 000005